(57)【要約】      （修正有）【課題】鉄道線路の建築限界をバラストの影響を受けずに、正確に測定できる建築限界測定用棒を提供する。【解決手段】鉄道線路用の建築限界測定用棒１は、軌道から鉄道限界までの距離よりも長い棒本体２と、この棒本体に、棒本体の長手方向に対して交叉する方向に設けた、軌道に当接される所望長さの当接部材３と、棒本体に設けた、鉄道限界を示す目印４とよりなる。軌道は枕木であり、当接部材の先端部が、枕木の端部に当接されることが好ましい。また当接部材は、棒本体に、直角方向に設けられ、棒本体は、複数のロッド５よりなり、隣接するロッドが伸縮自在に連結されているのが好ましい。【選択図】図１
0003194068.tif 000002
【実用新案登録請求の範囲】
【請求項１】
鉄道における軌道から鉄道限界までの距離よりも長い棒本体と、この棒本体に、この棒本体の長手方向に対して交叉する方向に設けた、上記軌道に当接される所望の長さの当接部材と、上記棒本体に設けた、鉄道限界を示す目印とよりなることを特徴とする鉄道線路用の建築限界測定用棒。
【請求項２】
上記軌道は枕木であり、上記当接部材の先端部が、上記枕木の端部に当接されることを特徴とする請求項１記載の鉄道線路用の建築限界測定用棒。
【請求項３】
上記当接部材は、上記棒本体に、この棒本体の長手方向に対して直角する方向に設けられることを特徴とする請求項１又は２記載の鉄道線路用の建築限界測定用棒。
【請求項４】
上記棒本体は、複数のロッドよりなり、互いに隣接するロッドが伸縮自在に連結されていることを特徴とする請求項１、２、又は３記載の鉄道線路用の建築限界測定用棒。
【請求項５】
上記当接部材は、上記棒本体に対して、傾動自在に設けられ、上記棒本体に対して任意の位置で固定される固定手段を有することを特徴とする請求項１、２、３又は４記載の鉄道線路用の建築限界測定用棒。
【請求項６】
上記棒本体と上記当接部材とは、非導電部材よりなることを特徴とする請求項１、２、３、４又は５記載の鉄道線路用の建築限界測定用棒。
【請求項７】
上記棒本体に、先端部から上記目印までの部分以外の部分に、所望の間隔の他の目印を更に設けたことを特徴とする請求項１、２、３、４、５又は６記載の鉄道線路用の建築限界測定用棒。
【考案の詳細な説明】
【技術分野】
【０００１】
本考案は、鉄道線路の建築限界を測定するための測定用棒に関するものである。
【背景技術】
【０００２】
鉄道線路近傍の作業では、建築限界外に安全ロープを設置し、この安全ロープの外で作業を行う必要がある。この安全ロープの支柱を設定する位置は、鉄道限界外、即ち、路線枕木端部から９０ｃｍ以上離れている必要があり、従来においては、コンベックスや箱尺を用いて、鉄道限界を測定し、測定された鉄道限界外に安全ロープの支柱を設置していた。
【考案の概要】
【考案が解決しようとする課題】
【０００３】
しかしながら、コンベックスでの測定は、コンベックスが撓んでしまう場合がある。また、コンベックスや箱尺では、枕木付近のバラスト（敷石）の盛り上がりが邪魔で、正確な測定限界を測定できない場合があるという欠点があった。
【０００４】
また、安全ロープの支柱は、レールに沿って、何本も設置する必要があるため、コンベックス等の測定では、設置に時間がかかるという欠点があった。
【０００５】
また、コンベックス等が導電素材の場合には、軌道短絡の危険性があった。
【０００６】
本考案は、上記の欠点をなくすようにしたものである。
【課題を解決するための手段】
【０００７】
本考案の鉄道線路用の建築限界測定用棒は、鉄道における軌道から鉄道限界までの距離よりも長い棒本体と、この棒本体に、この棒本体の長手方向に対して交叉する方向に設けた、上記軌道に当接される所望の長さの当接部材と、上記棒本体に設けた、鉄道限界を示す目印とよりなることを特徴とする。
【０００８】
また、上記軌道は枕木であり、上記当接部材の先端部が、上記枕木の端部に当接されることを特徴とする。
【０００９】
また、上記当接部材は、上記棒本体に、この棒本体の長手方向に対して直角方向に設けられることを特徴とする。
【００１０】
また、上記棒本体は、複数のロッドよりなり、互いに隣接するロッドが伸縮自在に連結されていることを特徴とする。
【００１１】
また、上記当接部材は、上記棒本体に対して、傾動自在に設けられ、上記棒本体に対して任意の位置で固定できる固定手段を有することを特徴とする。
【００１２】
また、上記棒本体と上記当接本体とは、非導電部材よりなることを特徴とする。
【００１３】
また、上記棒本体に、先端部から上記目印までの部分以外の部分に、所望の間隔の他の目印を更に設けたことを特徴とする。
【考案の効果】
【００１４】
本考案によれば、所望の長さの当接部材の先端部を枕木の端部に当接させて、棒本体をバラスト（敷石）から離れた所望の高さの位置とすることができるので、バラスト（敷石）の影響を受けずに、測定ができると共に、棒本体に設けた目印の確認が容易となる。
【００１５】
また、上記棒本体が伸縮可能であるので、縮小させれば持ち運びが容易となる。
【００１６】
また、上記当接部材を上記棒本体に対して傾動自在に設けたので、上記当接部分を折り畳めば持ち運びが容易となる。
【００１７】
また、建築限界外の、枕木からの距離を写真判定でも容易に判断することもできるようになる。
【図面の簡単な説明】
【００１８】
【図１】本考案の鉄道線路用の建築限界測定用棒を最大長さに引き伸ばした状態の側面図である。
【図２】本考案の鉄道線路用の建築限界測定用棒を最少長さに収納した状態の側面図である。
【図３】該建築限界測定用棒の当接部材の説明用正面図である。
【図４】該建築限界測定用棒の当接部材の説明用平面図である。
【図５】該建築限界測定用棒の当接部材の正面図である。
【図６】該建築限界測定用棒の取付部材の正面図である。
【図７】該建築限界測定用棒の取付部材の平面図である。
【図８】該建築限界測定用棒の取付部材の側面図である。
【図９】該建築限界測定用棒の当接部材と取付部材の説明用正面図である。
【図１０】該建築限界測定用棒の当接部材と取付部材の説明用正面図である。
【図１１】該建築限界測定用棒の使用方法の説明図である。
【考案を実施するための形態】
【００１９】
以下図面によって本考案の実施例を説明する。
【実施例１】
【００２０】
図１は、本発明の鉄道線路用の建築限界測定用棒１を示し、該建築限界測定用棒１は、直線状の所望の長さの棒本体２と、この棒本体２の先端部２ａに、上記棒本体２の長手方向に対して直角する方向に設けた、所望の長さの当接部材３と、上記棒本体２に設けた、建築限界の位置を示す目印４とよりなる。
【００２１】
また、上記棒本体２は、鉄道における枕木などの軌道の端部から鉄道限界までの距離よりも長い所望の長さに形成されている。
【００２２】
また、上記棒本体２は、例えば、互いに伸縮自在に連結された複数のロッド５と、このロッド５の先端部に固定した、上記当接部材３を傾動自在に枢支する取付本体６と、上記ロッドの後端部に設けたゴム製などの蓋部７とよりなり、上記複数のロッド５は、先端側の上段側から後端側の下段側に向かって、例えば、長さ６００ｍｍのグラスファイバー等の軽量の電気を通さない非導電部材よりなる５本の第１ロッド５ａ、第２ロッド５ｂ、第３ロッド５ｃ、第４ロッド５ｄ、第５ロッド５ｅから形成される。
【００２３】
また、上記各ロッド５は、例えば、最上段のロッド５ａを除き筒状に形成され、互いに隣接するロッド５は、それぞれ上段側のロッド５が下段側のロッド５内に収納されると共に、上記下段側のロッド５から上記上段側のロッド５を外方に引き出して、所望の長さだけ引き伸ばした時に、それ以上外方に引き出せずに、かつ、容易に、収納する方向に移動できないように形成されている。
【００２４】
なお、上記各所望の長さだけ引き出される長さ（各最大長さ）は、例えば、第１ロッド５ａは、４００ｍｍ、第２ロッド５ｂ〜第４ロッド５ｄは、それぞれ５００ｍｍである。
【００２５】
そして、上記各ロッド５を上記所望の長さまで引き伸ばした時（最大長さまで引き伸ばした時）に、鉄道における枕木などの軌道の端部から鉄道限界までの距離よりも長い所望の長さに形成される。
【００２６】
なお、上記容易に収納する方向に移動できないようにする手段としては、例えば、上段側の第１ロッド５ａと第２ロッド５ｂとの連結部分にロックピン８を貫通させて固定し、また、第２ロッド５ｂと第３ロッド５ｃとの連結部分にロックピン９を貫通させて固定し、また、他の隣接するロッド５間においては、各筒状のロッド５の接合される端部の外径及び内径をそれぞれテーパー状に形成し、接合される各ロッド間の摩擦により、固定されるようにする。
【００２７】
なお、ロックピン８、９により固定することにより、確実に固定ができるようになる。
【００２８】
また、上記上段側のロッド５と下段側のロッド５が、上記所望の長さだけ引き伸ばされた時（最大長さまで引き伸ばした時）に、丁度、上記上段側のロッド５の外周面に設けた、赤などの色の付いた線などの目印１０が、上記下段側のロッド５内から出てきて見えるようにして、隣接するロッドが最大長となる所望の長さまで引き伸ばされたことが分かるようにしてもよい。
【００２９】
なお、図２は、互いに隣接するロッド５を筒内に収納した場合を示し、例えば、上記棒本体２の最大引き伸ばし長さが２５００ｍｍであるところ、６４８ｍｍまで縮小させることができる。
【００３０】
上記当接部材３は、その先端部が、上記枕木などの軌道の端部に当接されるように形成され、例えば、図３〜図５に示すように、上記最上段の第１ロッド５ａの先端部に固定された取付部材６に、傾動自在に枢支して設けられると共に、上記棒本体２に対して直角な位置及び平行な位置で固定できる固定手段を有する。
【００３１】
即ち、上記当接部材３は、例えば、ＦＲＰ製で形成され、長さ２００ｍｍ、幅１０ｍｍの断面矩形状の矩形板状の長板部分３ａと、上記長板部分３ａの基部から直角に折れ曲がって形成された、例えば、長さ２５ｍｍ、幅２０ｍｍの断面矩形状の矩形板状の折曲部分３ｂと、上記折曲部分３ｂの中央に、上記長板部分３ａの長手方向に対して直角方向に延びる長孔１１とよりなる。
【００３２】
また、上記取付部材６は、図４、図６〜図８に示すように、例えば、ＡＢＳ製の円柱状の取付本体６ａと、この取付本体６ａの先端面６ｂ中央から、該取付本体６ａの両側面６ｃ、６ｃまで達し、かつ、例えば、２５ｍｍの深さに形成された矩形状の溝１２と、上記取付本体６ａに、上記溝１２を通過して、上記取付本体６ａの軸方向に対して直交する方向に設けた貫通孔１３と、上記貫通孔１３に挿入されるボルト１４及び蝶ナット１５とよりなる。
【００３３】
なお、上記溝１２の幅は、上記当接部材３が挿入できる幅に形成され、例えば、上記当接部材３の厚さと略同じ幅に形成されている。
【００３４】
そして、上記当接部材３は、その折曲部分３ｂが上記取付部材６の溝１２に挿入されると共に、上記当接部材３の長孔１１に、上記取付部材６の貫通孔１３に挿入されたボルト１４が挿入されることにより、上記当接部材３が上記取付部材６に対して、傾動自在に枢支されるようになる。
【００３５】
また、上記蝶ナット１５をボルト１４に締め付けることにより、上記当接部材３の折曲部分３ｂが、上記取付本体６の溝１２を挟んだ側壁部分６ｄ、６ｄに挟持されて、上記当接部材３が上記取付部材６に固定されるようになる。
【００３６】
そして、上記当接部材３を、上記棒本体２に対して直角な位置に固定するためには、上記ボルト１４の蝶ナット１５を緩めて、上記取付本体６に対して上記当接部材３を傾動自在にする。そして、図９に示すように、上記棒本体２の長手方向に対して、上記当接部材３の長板部分３ａを直角方向になるように傾動させて、さらに、上記当接部材３の折曲部分３ｂの直線状となる先端面３ｃを、上記取付本体６ａの溝１２の直線状となる底部１２ａに当接するまで、上記長孔１１に沿って移動させれば、上記当接部材３が上記取付本体６の長手方向に対して直角の位置で位置決めされて、この状態で、上記ボルト１４に上記蝶ナット１５を締め付けるようにする。
【００３７】
また、上記当接部材３を、上記棒本体２に対して平行な位置で固定するためには、上記ボルト１４の蝶ナット１５を緩める共に、図１０に示すように、上記当接部材３の折曲部分３ｂの直線状となる先端面３ｃを、上記取付本体６ａの溝１２の底部１２ａから離間させて、上記取付本体６に対して上記当接部材３を傾動自在にする。そして、上記棒本体２の長手方向に対して、上記当接部材３の長板部分３ａを平行に傾動させて、この状態で、上記ボルト１４に上記蝶ナット１５を締め付けるようにする。
【００３８】
上記目印４は、上記棒本体２を完全に引き伸ばした状態において、該棒本体２の先端から、建築限界の距離までの外周面に、目視及び写真でも確認しやすい色、例えば、黄色などを着色し、他の部分を黄色以外の色となるようにする。
【００３９】
上記建築限界の距離は、例えば、枕木の端部からでは、９００ｍｍとなる。
【００４０】
これにより、黄色で着色されていることより、一目で建築限界の位置を知ることができるようになる。
【００４１】
なお、図１に示すように、上記ロッド５の他の部分の外周面には、白と黒を１００ｍｍづつ交互に着色するようにして、建築限界外の距離を大まかに分かるようにしてもよい。
【００４２】
次に、本発明の建築限界測定用棒１の使用方法を説明する。
【００４３】
図１に示すように、各ロッド５を所望の長さ（最大長）となるまで引き伸ばし、ロックピン８，９により固定する。なお、所望の長さまで引き伸ばされているか否かは、目印１０が見えているかどうかで判断できる。
【００４４】
また、上記当接部材３を上記棒本体２の長手方向に対して直角にして固定する。
【００４５】
この状態で、作業員が、建築限界外から、建築限界測定用棒１の基部を持って、図１１に示すように、上記当接部材３の長板部分３ａを、枕木１６の端部に当接させ、上記棒本体２の黄色部分を確認することにより、建築限界を測定することができる。なお、１７は上記枕木１６に固定されたレール、１８は上記枕木横のバラスト（敷石）である。
【００４６】
そして、建築限界外に安全ロープ用の支柱１９を設置する。
【００４７】
なお、必要に応じて、建築限界位置と上記安全ロープ用支柱の位置関係が分かるように、上記枕木１６に設置した建築限界測定用棒１の写真等の記録を撮るようにしてもよい。
【００４８】
そして、これをレール１７に沿って、所望の間隔で、建築限界を測定し、安全ロープ用の支柱を設置し、各支柱に安全ロープを張るようにする。
【００４９】
本考案によれば、当接部材３により、上記棒本体２を地面から所望の高さに位置させることができ、バラスト（敷石）の盛り上がっていても、建築限界を測定することができるようになる。
【００５０】
また、軽量の棒状の測定具であるため、建築限界外から測定が可能となる。
【００５１】
また、持ち運びが容易となる。
【００５２】
また、測定を短時間に終えることができるようなる。
【００５３】
また、棒本体と当接部材とを非導通部材により構成したので、軌道短絡を防止することができるようになる。
【符号の説明】
【００５４】
１      建築限界測定用棒
２      棒本体
２ａ    先端部
３      当接部材
３ａ    長板部分
３ｂ    折曲部分
３ｃ    先端面
４      目印
５      ロッド
５ａ    第１ロッド
５ｂ    第２ロッド
５ｃ    第３ロッド
５ｄ    第４ロッド
５ｅ    第５ロッド
６      取付部材
６ａ    取付本体
６ｂ    先端面
６ｃ    側面
６ｄ    側壁部分
７      蓋部
８      ロックピン
９      ロックピン
１０    目印
１１    長孔
１２    溝
１２ａ  底部
１３    貫通孔
１４    ボルト
１５    蝶ナット
１６    枕木
１７    レール
１８    バラスト（敷石）
１９    支柱
【図１】
0003194068.tif 000003
【図２】
0003194068.tif 000004
【図３】
0003194068.tif 000005
【図４】
0003194068.tif 000006
【図５】
0003194068.tif 000007
【図６】
0003194068.tif 000008
【図７】
0003194068.tif 000009
【図８】
0003194068.tif 000010
【図９】
0003194068.tif 000011
【図１０】
0003194068.tif 000012
【図１１】
0003194068.tif 000013